(57)【要約】【課題】折丁と別丁を搬送方向において異なる位置に保った状態で搬送する搬送装置を提供する。【解決手段】第１の別丁と第２の別丁が付された折丁を、折丁の天地方向に搬送する搬送装置であって、折丁と第１の別丁との相対的な位置を保持した状態で、折丁と第１の別丁を搬送する第１の搬送部と、折丁の天地方向に折丁と相対的に異なる位置を保持した状態で、第２の別丁を搬送する第２の搬送部とを備える。【選択図】図７
2015027907.tif 000002
【特許請求の範囲】
【請求項１】
第１の別丁と第２の別丁が付された折丁を、該折丁の天地方向に搬送する搬送装置であって、
前記折丁と前記第１の別丁との相対的な位置を保持した状態で、前記折丁と前記第１の別丁を搬送する第１の搬送部と、
前記折丁の天地方向に前記折丁と相対的に異なる位置を保持した状態で、前記第２の別丁を搬送する第２の搬送部と
を備えたことを特徴とする、搬送装置。
【請求項２】
前記第１の搬送部は、前記折丁と前記第１の別丁とを、前記折丁の天地方向に押動し、前記第２の搬送部は、前記第２の別丁を、前記折丁の天地方向に押動することを特徴とする、請求項１に記載の搬送装置。
【請求項３】
前記第１の搬送部と前記第２の搬送部は、共通のレール上を移動することを特徴とする、請求項２に記載の搬送装置。
【発明の詳細な説明】
【技術分野】
【０００１】
本発明は、製本の過程において本文を搬送する搬送装置に関する。
【背景技術】
【０００２】
書籍などの製本において、内容が印刷された刷本を１冊の本となるようにページ順に並べた折丁に対して、口絵や見返しなどの別丁を入れる工程が知られている。この工程は、見返し貼り機によって折丁に対して所定の位置に別丁を固定するものであり、別丁が固定された折丁は、例えば無線綴機によって背に接着剤が塗布され表紙と貼り付けられる。また、これらの工程の前段においては、フィーダによって折丁に対して別丁が供給され、供給された折丁と別丁は、搬送装置によって、互いに所定の位置関係に保った状態で見返し貼り機へ搬送される。具体的には、例えば、搬送方向に動作するツノなどにより同位置から押動することによって見返し貼り機へ搬送していたため、別丁と折丁は、搬送方向における同位置に揃った位置関係を保った状態で見返し貼り機へ搬送されていた。
【０００３】
また、関連する技術として、搬送される冊子類を搬送経路の途中で載置面と直交する軸回りに旋回させることにより搬送途中で冊子類を所定の向きに変更する技術が知られている（例えば、特許文献１参照）。
【先行技術文献】
【特許文献】
【０００４】
【特許文献１】特開２００９−０７３６１５号公報
【発明の概要】
【発明が解決しようとする課題】
【０００５】
しかしながら、製本される本の種別によっては、別丁と折丁とを、搬送方向に異なる位置に保った状態で見返し貼り機に搬送する必要がある。例えば、折丁の天地方向に折丁と別丁を搬送する状況において、搬送方向の長さが折丁よりも短い２つの別丁を、それぞれ、折丁の天側と地側に揃えた状態で見返し貼り機に搬送しなければならない。このような要求に対しては、従来の搬送装置では対応することができない、という問題があった。
【０００６】
本発明は上述した問題点を解決するためになされたものであり、折丁と別丁を搬送方向において異なる位置に保った状態で搬送する搬送装置を提供することを目的とする。
【課題を解決するための手段】
【０００７】
上述した課題を解決するため、本発明の一態様は、第１の別丁と第２の別丁が付された折丁を、該折丁の天地方向に搬送する搬送装置であって、前記折丁と前記第１の別丁との相対的な位置を保持した状態で、前記折丁と前記第１の別丁を搬送する第１の搬送部と、前記折丁の天地方向に前記折丁と相対的に異なる位置を保持した状態で、前記第２の別丁を搬送する第２の搬送部とを備える。
【発明の効果】
【０００８】
本発明によれば、折丁と別丁とを搬送方向において異なる位置に保った状態で搬送することができる。
【図面の簡単な説明】
【０００９】
【図１】本実施の形態に係る製本ラインの構成を示すブロック図である。
【図２】搬送路の構成を示す図である。
【図３】搬送ガイドの構成を示す図である。
【図４】二丁本を示す模式図である。
【図５】搬送装置の全体構成を示す模式図である。
【図６】搬送装置の構成を示す斜視図である。
【図７】搬送装置の構成を示す平面図である。
【発明を実施するための形態】
【００１０】
以下、本発明の実施の形態について図面を参照しつつ説明する。
【００１１】
まず、本実施の形態に係る製本ラインについて説明する。図１は、本実施の形態に係る製本ラインの構成を示すブロック図である。
【００１２】
図１に示すように、本実施の形態に係る製本ラインは、丁合機１、フィーダ２、見返し貼り機３、無線綴機４を備える。丁合機１は、１冊の本となるように、印刷された用紙をページ順に重ねる丁合作業を自動的に行う装置である。また、フィーダ２は、丁合機１により丁合された折丁とは紙質やサイズが異なる口絵や見返しなどを別丁として供給する装置である。また、見返し貼り機３は、ホットメルトやコールドグルーなどの接着剤を、折丁のノド部分に塗布し、そこにフィーダ２により供給された別丁を固定してプレスすることにより、折丁の所定の位置に別丁を固定して仮止めするものである。また、無線綴機４は、別丁が固定された折丁に表紙を接着する装置である。なお、本実施の形態において、口絵、見返し、または袋に入れられたＣＤなどの添付物のような、折丁とは紙質、サイズ、素材などが異なるものを総称して、別丁と呼称する。
【００１３】
次に、折丁に見返し貼り機上を通過させるための搬送路について説明する。図２は、搬送路の構成を示す図である。
【００１４】
図２に示すように、搬送路は、搬送装置６２に搬送される本文９０が見返し貼り機３上の所定の経路を通過するように、搬送板６０、搬送ガイド６１により構成される。
【００１５】
搬送装置６２は、所定の動力源により、製本ラインの上流から下流へと動作する押さえであり、搬送方向に対して直交して水平に伸びるツノにより、本文９０をフィーダ２から見返し貼り機３へと下流方向に搬送する。また、搬送板６０は、搬送方向に直交する方向に所定幅を持ち、搬送方向に沿って見返し貼り機３の設置面から所定の高さに設けられた板であり、本文９０を所定の垂直位置にガイドする。また、搬送ガイド６１は、搬送方向に沿って設置され、本文９０を所定の垂直位置にガイドする。
【００１６】
次に、搬送ガイドの構成について説明する。図３は、搬送ガイドの構成を示す図である。
【００１７】
図３に示すように、搬送ガイド６１は、水平方向にそれぞれ位置が異なり、搬送板６０に直交する２つの搬送ガイド板６１１と、搬送ガイド板６１１を支持する支持部６１２と、搬送板６０に直交し、搬送ガイド板６１１の垂直下部に位置する２つの搬送ガイド板６１３を備える。支持部６１２は、図示しない取付台に取り付けられ、支持部６１２の取り付け位置によって、２つの搬送ガイド板６１１間の距離が本文９０の厚さに応じて調整される。なお、２つの搬送ガイド板６１３の距離は２つの搬送ガイド板６１１間の距離と同様に調整されるものとする。また、搬送板６０についても、搬送ガイド６１と同様に、図示しない取付台に取り付けられるものとする。
【００１８】
次に、２丁本について説明する。図４は、２丁本を示す図である。
【００１９】
図４に示すように、２丁付けされた折丁（以降、本文９０と呼称する）は、天地方向の中央を切断位置として、２冊分の丁合がなされた折丁９０１と、それぞれ片側のみに供給された別丁９０２及び９０３とを含む。なお、別丁９０２は搬送方向における下流側に配置され、別丁９０３は上流側に配置されるものとする。なお、本実施の形態において、折丁９０１は、製本工程の都合上、２冊分の印刷が互いに天地逆に印刷されるものとし、その結果、別丁９０２および９０３は折丁９０１を挟んで互いに逆側に配置されるものとする。このような本文９０は、本文９０の天地方向において、折丁９０１及び別丁９０３と別丁９０２とが、相対的に異なる位置を維持したまま搬送される必要がある。
【００２０】
次に、搬送装置の構成について説明する。図５は、搬送装置の全体構成を示す模式図である。また、図６は、搬送装置の構成を示す斜視図である。また、図７は、搬送装置の構成を示す平面図である。
【００２１】
図５に示すように、搬送装置６２は、第１搬送ツノ６２１、第２搬送ツノ６２２、搬送チェーン６２３、第１スプロケット６２４、第２スプロケット６２５を備える。第１搬送ツノ６２１及び第２搬送ツノ６２２は、同一の搬送チェーン６２３において搬送チェーン６２３の駆動方向において異なる位置に取り付けられる。また、第１搬送ツノ６２１及び第２搬送ツノ６２２は、同一の軌道上、即ち同一のレールを移動する。これら第１搬送ツノ６２１及び第２搬送ツノ６２２は、いずれも搬送方向に直交するツノであり、互いに長さが異なる。具体的には、第１搬送ツノ６２１よりも第２搬送ツノ６２２がより短い。また、搬送チェーン６２３は、第１スプロケット６２４または第２スプロケット６２５により伝達される動力により、自身に取り付けられた第１搬送ツノ６２１及び第２搬送ツノ６２２を搬送方向へ駆動するローラーチェーンである。なお、第１搬送ツノ６２１及び第２搬送ツノ６２２のセットは搬送チェーン６２３に複数取り付けられ、第１スプロケット６２４及び第２スプロケット６２５に対して上段を走る第１搬送ツノ６２１及び第２搬送ツノ６２２が搬送方向における下流、即ち見返し貼り機３の方向へ移動する。なお、第１搬送ツノ６２１及び第２搬送ツノ６２２は、搬送方向における下流へ移動する場合、搬送ガイド６１における搬送ガイド板６１１と搬送ガイド板６１３との間を通過する。
【００２２】
第１搬送ツノ６２１及び第２搬送ツノ６２２は、図６及び図７に示すように、１つのセットにより１つの本文９０を本文９０の天地方向へ搬送する。より具体的には、第１搬送ツノ６２１が折丁９０１及び別丁９０３を押動し、第２搬送ツノ６２２が別丁９０２を押動することにより、本文９０を天地方向へ搬送する。第１搬送ツノ６２１は、折丁９０１及び別丁９０３を押動することにより、これらを相対的な位置を保って、具体的には搬送方向における同位置を保って搬送する。また、第１搬送ツノ６２１に対して、第２搬送ツノ６２２が搬送方向における下流に取り付けられることにより、折丁９０１及び別丁９０３と相対的に異なる位置を保って、具体的には折丁９０１及び別丁９０３より搬送方向において所定距離だけ下流側の位置を保って、別丁９０２を搬送する。
【００２３】
上述したように、本実施の形態に係る搬送装置によれば、折丁と別丁とを搬送方向において異なる相対的な位置に保った状態で搬送することができる。また、２つの別丁を異なる相対的な位置に保った状態で搬送することができる。
【００２４】
本発明は、その要旨または主要な特徴から逸脱することなく、他の様々な形で実施することができる。そのため、前述の実施の形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００２５】
１  丁合機
２  フィーダ
３  見返し貼り機
４  無線綴機
６０  搬送板
６１  搬送ガイド
６１１  搬送ガイド板
６１２  支持部
６１３  搬送ガイド
６２  搬送装置
６２１  第１搬送ツノ
６２２  第２搬送ツノ
６２３  搬送チェーン
６２４  第１スプロケット
６２５  第２スプロケット
９０  本文
９０１  折丁
９０２  別丁
９０３  別丁
【図１】
2015027907.tif 000003
【図２】
2015027907.tif 000004
【図３】
2015027907.tif 000005
【図４】
2015027907.tif 000006
【図５】
2015027907.tif 000007
【図６】
2015027907.tif 000008
【図７】
2015027907.tif 000009